【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】 一般式（１）
【化１】
2002371047.tif 000001
（ただしＲ1、Ｒ2は、個々に水素、炭素数１〜１０の脂肪族炭化水素基または芳香族基を表す。）で示される２−ヒドロキシニトリルの硫酸の存在下での加水反応を、反応液中の水分を２０質量％以下、かつ温度を８０℃以下で行うことを特徴とする一般式（２）
【化２】
2002371047.tif 000002
（ただしＲ1およびＲ2は上記と同じ。）で示される２−ヒドロキシカルボン酸アミドの製造方法。
【請求項２】 ２−ヒドロキシニトリルと硫酸の配合比を２−ヒドロキシニトリル１モルに対し、硫酸１．５〜５モルである請求項１に記載の２−ヒドロキシカルボン酸アミドの製造方法。
【請求項３】 ２−ヒドロキシニトリルの硫酸の存在下での加水反応を、反応系に不活性な沸点、３０〜７０℃の有機溶媒を存在させて行う請求項１または２に記載の２−ヒドロキシカルボン酸アミドの製造方法。
【請求項４】 ２−ヒドロキシニトリルの硫酸の存在下での加水反応を、反応系に２−ヒドロキシニトリル１モルに対し５モル以下の水の存在下で行う請求項１または２に記載の２−ヒドロキシカルボン酸アミドの製造方法。
【請求項５】 ２−ヒドロキシニトリルと硫酸を反応させて得られた一般式（３）
【化３】
2002371047.tif 000003
（ただしＲ1およびＲ2は上記と同じ。）で示される２−ヒドロキシスルホニルオキシカルボン酸アミドを含む反応液に、５０℃以下の温度でアルコールを添加して加アルコール分解する事からなる請求項１〜４のいずれか１項に記載の２−ヒドロキシカルボン酸アミドの製造方法。
【請求項６】 アルコールの添加量が、２−ヒドロキシスルホニルオキシカルボン酸アミド１モルに対し、１〜１０モルである請求項５に記載の２−ヒドロキシカルボン酸アミドの製造方法。
【請求項７】 ２−ヒドロキシスルホニルオキシカルボン酸アミドを含む反応液に、アルコールを添加して加アルコール分解するに際し、ｐＨ７以下で行う請求項５または６に記載の２−ヒドロキシカルボン酸アミドの製造方法。
【請求項８】 アルコールがメチルアルコールである請求項５〜７のいずれか１項に記載の２−ヒドロキシカルボン酸アミドの製造方法。
【請求項９】 ２−ヒドロキシニトリルと硫酸を反応させて得られた請求項５に記載の一般式（３）で示される２−ヒドロキシスルホニルオキシカルボン酸アミドを含む反応液に、７０℃以下の温度で水を添加して加水分解する事からなる請求項１〜４のいずれか１項に記載の２−ヒドロキシカルボン酸アミドの製造方法。
【請求項１０】 ２−ヒドロキシスルホニルオキシカルボン酸アミドを含む反応液に、水を添加して加水分解するに際し、ｐＨ３以下で行う請求項９に記載の２−ヒドロキシカルボン酸アミドの製造方法。
【請求項１１】 水の添加量が、２−ヒドロキシスルホニルオキシカルボン酸アミド１モルに対し、１〜５０モルである請求項９または１０に記載の２−ヒドロキシカルボン酸アミドの製造方法。
【請求項１２】 ２−ヒドロキシニトリルと硫酸を反応させて得られた請求項５に記載の一般式（３）で示される２−ヒドロキシスルホニルオキシカルボン酸アミドを含む反応液に、アルコールまたは水を添加して２−ヒドロキシカルボン酸アミドとした後、該反応液をｐＨ５〜８に中和し、２−ヒドロキシカルボン酸アミドを分離することを特徴とする２−ヒドロキシカルボン酸アミドの製造方法。
【請求項１３】 ２−ヒドロキシスルホニルオキシカルボン酸アミドを２−ヒドロキシカルボン酸アミドとした後、該反応液をｐＨ５〜８に中和するに際し６０℃以下の温度で行う請求項１２に記載の２−ヒドロキシカルボン酸アミドの製造方法。
【請求項１４】 ２−ヒドロキシニトリルが２−ヒドロキシヘキサノニトリルであり、２−ヒドロキシカルボン酸アミドが２−ヒドロキシヘキサン酸アミドである請求項１〜１３のいずれか１項に記載の２−ヒドロキシカルボン酸アミドの製造方法。
【手続補正２】
【補正対象書類名】明細書
【補正対象項目名】０００５
【補正方法】変更
【補正の内容】
【０００５】
【課題を解決するための手段】すなわち、本発明は、
［１］一般式（１）
【化４】
2002371047.tif 000004
（ただしＲ1、Ｒ2は、個々に水素、炭素数１〜１０の脂肪族炭化水素基または芳香族基を表す。）で示される２−ヒドロキシニトリルの硫酸の存在下に加水分解反応または加アルコール分解反応を、反応中の水分を２０質量％以下、かつ温度を８０℃以下で行うことを特徴とする一般式（２）
【化５】
2002371047.tif 000005
（ただしＲ1およびＲ2は上記と同じ。）で示される２−ヒドロキシカルボン酸アミドの製造方法。
【手続補正３】
【補正対象書類名】明細書
【補正対象項目名】０００６
【補正方法】変更
【補正の内容】
【０００６】
［２］ ２−ヒドロキシニトリルと硫酸の配合比を２−ヒドロキシニトリル１モルに対し、硫酸１．５〜５モルである上記［１］に記載の２−ヒドロキシカルボン酸アミドの製造方法、［３］ ２−ヒドロキシニトリルの硫酸の存在下での加水反応を、反応系に不活性な沸点、３０〜７０℃の有機溶媒を存在させて行う上記［１］または［２］に記載の２−ヒドロキシカルボン酸アミドの製造方法、［４］ ２−ヒドロキシニトリルの硫酸の存在下での加水反応を、反応系に２−ヒドロキシニトリル１モルに対し５モル以下の水の存在下で行う上記［１］または［２］に記載の２−ヒドロキシカルボン酸アミドの製造方法、
【手続補正４】
【補正対象書類名】明細書
【補正対象項目名】０００８
【補正方法】変更
【補正の内容】
【０００８】
［９］ ２−ヒドロキシニトリルと硫酸を反応させて得られた上記［５］に記載の一般式（３）で示される２−ヒドロキシスルホニルオキシカルボン酸アミドを含む反応液に、７０℃以下の温度で水を添加して加水分解する事からなる上記［１］〜［４］のいずれかに記載の２−ヒドロキシカルボン酸アミドの製造方法、［１０］ ２−ヒドロキシスルホニルオキシカルボン酸アミドを含む反応液に、水を添加して加水分解するに際し、ｐＨ３以下で行う上記［９］に記載の２−ヒドロキシカルボン酸アミドの製造方法、［１１］ 水の添加量が、２−ヒドロキシスルホニルオキシカルボン酸アミド１モルに対し、１〜５０モルである上記［９］または［１０］に記載の２−ヒドロキシカルボン酸アミドの製造方法、
【手続補正５】
【補正対象書類名】明細書
【補正対象項目名】０００９
【補正方法】変更
【補正の内容】
【０００９】
［１２］ ２−ヒドロキシニトリルと硫酸を反応させて得られた上記［５］に記載の一般式（３）で示される２−ヒドロキシスルホニルオキシカルボン酸アミドを含む反応液に、アルコールまたは水を添加して２−ヒドロキシカルボン酸アミドとした後、該反応液をｐＨ５〜８に中和し、２−ヒドロキシカルボン酸アミドを分離することを特徴とする２−ヒドロキシカルボン酸アミドの製造方法、［１３］ ２−ヒドロキシスルホニルオキシカルボン酸アミドを２−ヒドロキシカルボン酸アミドとした後、該反応液をｐＨ５〜８に中和するに際し６０℃以下の温度で行う上記［１２］に記載の２−ヒドロキシカルボン酸アミドの製造方法、［１４］ ２−ヒドロキシニトリルが２−ヒドロキシヘキサノニトリルであり、２−ヒドロキシカルボン酸アミドが２−ヒドロキシヘキサン酸アミドである上記［１］〜［１３］のいずれかに記載の２−ヒドロキシカルボン酸アミドの製造方法、［１５］ ２−ヒドロキシヘキサノニトリルと硫酸の配合比を２−ヒドロキシヘキサノニトリル１モルに対し、硫酸１．５〜５モルである上記［１４］に記載の２−ヒドロキシカルボン酸アミドの製造方法、［１６］ ２−ヒドロキシヘキサノニトリルと硫酸を反応に際して、沸点が３０〜７０℃の反応系に不活性な有機溶媒を添加して行う上記［１４］または［１５］に記載の２−ヒドロキシカルボン酸アミドの製造方法、